【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置。
【請求項２】
調光装置の動作時、調光装置の他の領域の遮光率は、調光装置への虚像の投影像が含まれる調光装置の虚像投影領域の遮光率を「１」としたとき、０．９５以下である請求項１に記載の表示装置。
【請求項３】
調光装置の動作時、調光装置の虚像投影領域の遮光率は、３５％乃至９９％である請求項１又は請求項２に記載の表示装置。
【請求項４】
画像形成装置から出射された光に基づき光学装置に虚像が形成される前に、調光装置の虚像投影領域の遮光率が増加される請求項１乃至請求項３のいずれか１項に記載の表示装置。
【請求項５】
光学装置に形成される虚像に外接する仮想矩形を想定したとき、調光装置の虚像投影領域は、仮想矩形よりも大きい請求項１乃至請求項４のいずれか１項に記載の表示装置。
【請求項６】
光学装置に形成される虚像に外接する仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足する請求項５に記載の表示装置。
【請求項７】
調光装置は、
第１基板、
第１基板と対向する第２基板、
第２基板と対向する第１基板の対向面に設けられた第１透明電極、
第１基板と対向する第２基板の対向面に設けられた第２透明電極、及び、
第１透明電極と第２透明電極とによって挟まれた調光層、
から成る請求項１乃至請求項６のいずれか１項に記載の表示装置。
【請求項８】
第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域に対応する調光装置の部分の遮光率の制御は、第１透明電極セグメント及び第２透明電極セグメントに印加する電圧の制御に基づき行われる請求項７に記載の表示装置。
【請求項９】
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置の初期設定方法であって、
画像形成装置から出射されたテストパターンに基づきテストパターンの虚像を光学装置の虚像形成領域に表示し、併せて、テストパターンの虚像に対応する調光装置の領域の遮光率を、調光装置の他の領域の遮光率よりも高い状態とし、
観察者が観察したテストパターンの虚像と、観察者が観察した調光装置の遮光率が高い領域とが重なるように、テストパターンの虚像と調光装置の遮光率が高い領域とを相対的に移動させる、表示装置の初期設定方法。
【請求項１０】
テストパターンの虚像と調光装置の遮光率が高い領域とを相対的に移動させたときの移動量を基準として、光学装置における虚像の形成位置と調光装置の虚像投影領域の位置との位置関係を補正する請求項９に記載の表示装置の初期設定方法。
【請求項１１】
併せて、調光装置の動作時の調光装置の他の領域の遮光率を決定する請求項９又は請求項１０に記載の表示装置の初期設定方法。
【請求項１２】
併せて、調光装置の動作時の調光装置の虚像投影領域の遮光率を決定する請求項９乃至請求項１１のいずれか１項に記載の表示装置の初期設定方法。
【請求項１３】
光学装置に形成される虚像に外接する仮想矩形を想定したとき、仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、併せて、Ｌ2-T／Ｌ1-Tの値及びＬ2-L／Ｌ1-Lを決定する請求項９乃至請求項１２のいずれか１項に記載の表示装置の初期設定方法。
【手続補正２】
【補正対象書類名】明細書
【補正対象項目名】０１１９
【補正方法】変更
【補正の内容】
【０１１９】
この場合、画像表示装置１００，２００，３００，４００，５００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００，５００において画像を表示するための信号を受け取ることができるし、受信装置は信号を受け取ることができる。
【手続補正３】
【補正対象書類名】明細書
【補正対象項目名】０１２５
【補正方法】変更
【補正の内容】
【０１２５】
また、図１０に示すように、光学装置１２０，３２０，５２０に形成される虚像に外接する仮想矩形１４０Ａ，３４０Ａを想定したとき、調光装置７００の虚像投影領域７１１は、仮想矩形１４０Ａ，３４０Ａよりも大きい構成とすることができる。そして、この場合、光学装置１２０，３２０，５２０に形成される虚像に外接する仮想矩形１４０Ａ，３４０Ａの横方向及び縦方向の長さをＬ1-T及びＬ1-Lとし、調光装置７００の虚像投影領域７１１の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。尚、図１０においては、虚像として、「ＡＢＣＤ」が形成されている状態を示す。
【手続補正４】
【補正対象書類名】明細書
【補正対象項目名】０１８２
【補正方法】変更
【補正の内容】
【０１８２】
場合によっては、実施例３〜実施例４の表示装置の変形例における画像表示装置の概念図を図２９に示すように、第１偏向手段３３０は、第１のホログラム回折格子３３１及び第２のホログラム回折格子３３２から構成されており、第２偏向手段３４０は、第３のホログラム回折格子３４１から構成されており、
第１のホログラム回折格子３３１は、内部に第１の干渉縞が形成されており、
第２のホログラム回折格子３３２は、内部に第２の干渉縞が形成されており、
第３のホログラム回折格子３４１は、内部に第３の干渉縞が形成されており、
φ1＜φ3＜φ2、及び、Ｐ1＝Ｐ3＝Ｐ2
の関係を満足する形態とすることができる。尚、これらのホログラム回折格子３３１，３３２，３４１は反射型体積ホログラム回折格子から成る。ここで、
φ1：第１の干渉縞のスラント角
φ2：第２の干渉縞のスラント角
φ3：第３の干渉縞のスラント角
Ｐ1：第１の干渉縞のピッチ
Ｐ2：第２の干渉縞のピッチ
Ｐ3：第３の干渉縞のピッチ
である。
【手続補正５】
【補正対象書類名】明細書
【補正対象項目名】０１８３
【補正方法】変更
【補正の内容】
【０１８３】
あるいは又、
λ2＜λ3＜λ1
の関係を満足する形態とすることができる。
ここで、
λ1：導光板に入射され、第１のホログラム回折格子によって偏向される光のピーク波長
λ2：導光板に入射され、第２のホログラム回折格子によって偏向される光のピーク波長
λ3：第１のホログラム回折格子及び第２のホログラム回折格子によって偏向され、導光
板の内部を全反射により伝播し、第３のホログラム回折格子によって偏向される光
のピーク波長
である。